(57)【特許請求の範囲】
【請求項１】
ＲＦ−ＩＤタグが付加された書類を保管する保管庫を有し、上記ＲＦ−ＩＤタグとの間で情報信号を送受信して収容書類の管理および検索を行うことができるＲＦ−ＩＤを用いた書類管理装置において、
上記保管庫は、棚板と、この棚板を書類の出し入れ面側から見た左右両端部に配置されて棚板を支持する金属板からなる棚受けと、書類保管スペースの背後に配置された背板を有し、
上記棚受けは、上記棚板の高さ寸法よりも高く、上記背板と同等の高さになっており、
上記背板は、書類保管スペースの背後の上記棚板の奥端面の後ろ側に位置していて、保管書類の上記ＲＦ−ＩＤタグとの情報信号の送受信を行うアンテナを有し、
上記アンテナを有する背板は、上記棚板とは別体として形成されて着脱自在であり、ＲＦ−ＩＤを用いた書類保管装置を具備していない保管庫であっても、これに上記背板を装着することにより、ＲＦ−ＩＤ対応の書類保管装置に仕様変更することができることを特徴とするＲＦ−ＩＤを用いた書類管理装置。
【請求項２】
保管庫は、書類保管スペースの奥行き方向手前と奥と中間にそれぞれ支柱が等間隔にかつ平行に配置されていて、奥行き方向手前と中間の支柱に掛け止められた棚受けによって一つの棚板が支持され、奥行き方向奥側と中間の支柱に掛け止められた棚受けによってもう一つの棚板が支持されることにより、保管スペースを背中合わせにして有する複式の保管庫である請求項１記載のＲＦ−ＩＤを用いた書類管理装置。
【請求項３】
背中合わせになっている各保管スペースの背後には、背板が垂直の姿勢で互いに平行に取り付けられ、各背板はアンテナパターンが形成されることによってアンテナモジュールを構成している請求項２記載のＲＦ−ＩＤを用いた書類管理装置。
【請求項４】
背中合わせになっている各保管スペース相互間には、背中合わせの書類保管スペース相互のアンテナからの信号を遮蔽する遮蔽部材が垂直の姿勢で配置されている請求項３記載のＲＦ−ＩＤを用いた書類管理装置。
【請求項５】
遮蔽部材の高さは、背板の高さと同等以上の高さである請求項４記載のＲＦ−ＩＤを用いた書類管理装置。
【請求項６】
ＲＦ−ＩＤタグは、棚板の左右方向両端から３０ｍｍ以内にあってもアンテナとの間で情報信号を送受信可能である請求項１記載のＲＦ−ＩＤを用いた書類管理装置。
【発明の詳細な説明】
【０００１】
【発明の属する技術分野】
本発明は、非接触でデータ信号を送受信し、データの読み出しおよび書込みを行うことができるＲＦ−ＩＤを用いた書類管理装置に関するものである。
【０００２】
【従来の技術】
非接触で情報信号を送受信して特定の対象物を検索しあるいは対象物の管理を行うことができるＲＦ−ＩＤシステムが知られている。このシステムは、ＲＦ−ＩＤタグと、このタグとの間での信号のやり取りを仲介するアンテナとを主要な構成要素としている。ＲＦ−ＩＤシステムの中にも、空間伝送媒体方式によって、電磁結合方式、静電結合方式、電磁誘導方式、マイクロ波方式などがある。ＲＦ−ＩＤシステムの機能的特徴は、
１．非接触でデータのリード、ライトが可能であること、
２．電波、電磁波で交信するため、汚れ、ほこりなどの影響を受けにくい、
３．障害物（金属等の導電体を除く）を介してデータ交信が可能、
４．アンチコリジョン機能の搭載により、複数のタグとの同時アクセスが可能、などである。
【０００３】
上記のようなＲＦ−ＩＤシステムを棚や保管庫に適用することによって、棚や保管庫に収納する書籍や書類、カルテなどの検索、保管管理などに利用されている。従来のＲＦ−ＩＤを用いた管理システムあるいは検索システムは、ＲＦ−ＩＤタグとアンテナとの認識距離などの条件を満たすために、収容物の最下部にＲＦ−ＩＤタグを貼り、情報信号を発信し、受信するアンテナは収容物を保管する棚板の収容物載置面に設置している。
【０００４】
【発明が解決しようとする課題】
しかしながら、上記従来のＲＦ−ＩＤを用いたシステムによれば、収容物がアンテナに直接接触するため、収容物を棚板に載せたり取り出したりするときの衝撃や摩擦によってアンテナが破損するおそれがある。また、アンテナが棚板と一体化しており、棚板とアンテナの単独の値段を合計した額よりも高価なものになっている。さらに、アンテナで送受信される電波あるいは電磁波の特性上、アンテナの左右両端部においてはＲＦ−ＩＤタグの認識情報を発信することができず、棚板両端部の収容物は、その情報を認識することができないという難点があった。
【０００５】
本発明は以上のような従来技術の問題点を解消するためになされたもので、ＲＦ−ＩＤタグとアンテナとを接触させなくても収容物を認識することを可能にし、もって、収容物を出し入れするときの衝撃や摩擦などでＲＦ−ＩＤタグが破損することをなくすことができるＲＦ−ＩＤを用いた書類管理装置を提供することを目的とする。
【０００６】
本発明はまた、収容物の大小に関係なく収容物の前面を棚板の前面に合わせることができ、かつ、アンテナを収容物の背当たりとして利用することができ、既設の保管庫にも設置可能であり、逆に任意に取り外すことも容易なＲＦ−ＩＤを用いた書類管理装置を提供することを目的とする。
【０００７】
【課題を解決するための手段】
請求項１記載の発明は、ＲＦ−ＩＤタグが付加された書類を保管する保管庫を有し、ＲＦ−ＩＤタグとの間で情報信号を送受信して収容書類の管理および検索を行うことができるＲＦ−ＩＤを用いた書類管理装置において、上記保管庫は、棚板と、この棚板を書類の出し入れ面側から見た左右両端部に配置されて棚板を支持する金属板からなる棚受けと、書類保管スペースの背後に配置された背板を有し、上記棚受けは、上記棚板の高さ寸法よりも高く、上記背板と同等の高さになっており、上記背板は、書類保管スペースの背後の上記棚板の奥端面の後ろ側に位置していて、保管書類の上記ＲＦ−ＩＤタグとの情報信号の送受信を行うアンテナを有し、上記アンテナを有する背板は、上記棚板とは別体として形成されていて着脱自在であり、ＲＦ−ＩＤを用いた書類保管装置を具備していない保管庫であっても、これに上記背板を装着することにより、ＲＦ−ＩＤ対応の書類保管装置に仕様変更することができることを特徴とする。
【０００８】
請求項２記載の発明は、請求項１記載の発明において、保管庫は、書類保管スペースの奥行き方向手前と奥と中間にそれぞれ支柱が等間隔にかつ平行に配置されていて、奥行き方向手前と中間の支柱に掛け止められた棚受けによって一つの棚板が支持され、奥行き方向奥側と中間の支柱に掛け止められた棚受けによってもう一つの棚板が支持されることにより、保管スペースを背中合わせにして有する複式の保管庫であることを特徴とする。
請求項３記載の発明は、請求項２記載の発明において、背中合わせになっている各保管スペースの背後には、背板が垂直の姿勢で互いに平行に取り付けられ、各背板はアンテナパターンが形成されることによってアンテナモジュールを構成していることを特徴とする。
【０００９】
請求項４記載の発明は、請求項３記載の発明において、背中合わせになっている各保管スペース相互間には、背中合わせの書類保管スペース相互のアンテナからの信号を遮蔽する遮蔽部材が垂直の姿勢で配置されていることを特徴とする。
請求項５記載の発明は、請求項４記載の発明において、遮蔽部材の高さは、背板の高さと同等以上の高さであることを特徴とする。
請求項６記載の発明は、請求項１記載の発明において、ＲＦ−ＩＤタグは、棚板の左右方向両端から３０ｍｍ以内にあってもアンテナとの間で情報信号を送受信可能であることを特徴とする。
【００１１】
【発明の実施の形態】
本発明の実施形態を説明する前に、本発明に使用するＲＦ−ＩＤタグの概略を説明しておく。図４、図５において、ＲＦ−ＩＤタグは、導線を適宜回数巻回してなる空芯コイル５０と、この空芯コイル５０の空芯部に挿入された磁芯５１とを有してなる。磁芯５１は、長い板状をなしていて、アモルファスシートなどからなるコア５５と、このコア５５の表面を覆う絶縁シート５６とを有してなる。コア５５と空芯コイル５０との短絡の問題がなければ、絶縁シート５６は省略してもよい。空芯コイル５０は、図１に示すように平面形状が円形の場合もあるが、後述のように整形することを考慮すると、四角形にすることが望ましい。
【００１２】
空芯コイル５０と磁芯５１はそれらの平面が互いに平行になるように、加熱しながら加圧して空芯コイル５０または磁芯５１を整形する。図６に示す例は磁芯５１を整形した例で、磁芯５１の、空芯コイル５０が重なる部分に凹凸をつけている。この状態で空芯コイル５０および磁芯５１全体をラミネート加工して一体化する。空芯コイル５０の巻初めと巻終わりの端部は、メモリ、送受信回路、その他の電気回路が集積されたＲＦ−ＩＤモジュール５２の電極５３、５４に半田付け等によって接続されている。
【００１３】
以上のように構成されたＲＦ−ＩＤタグは、空芯コイル５０を厚さ方向に貫く方向、従って、磁芯５１の長手方向であるＸ方向、および空芯コイル５０の平面に直交する方向であるＺ方向に指向性を有し、Ｘ方向またはＺ方向に離れて配置されたアンテナとの間で信号の送受信が可能である。特に磁芯５１の長手方向であるＸ方向の指向性が強く、ＲＦ−ＩＤタグとアンテナとの間に１００ｍｍ程度の空間があっても信号の送受信が可能である。なお、磁芯５１の本数を複数本にし、あるいは、空芯コイル５０をプリントコイルで構成するなど、各種の変形例がある。
【００１４】
次に、上記のようなＲＦ−ＩＤタグを用いた本発明にかかるＲＦ−ＩＤを用いた書類管理装置の実施形態について、図面を参照しながら説明する。本発明にかかるＲＦ−ＩＤを用いた書類管理装置は、書籍や各種書類を収納する書庫、その他各種収納物を保管することができる保管庫一般に適用可能なものであるが、図示の実施形態は保管庫の例として書庫が描かれている。
【００１５】
図１において、書庫１０は両側の側板１６と、この両側の側板１６に両端が結合された底板１１と、天板１２とを有し、さらに、底板１１と天板１２との間に適宜段数固定された棚板１３を有してなる。底板１１または棚板１３と両側の側板１６で囲まれる複数の空間は書類保管スペースになっている。底板１１の上および棚板１３の上に収納物としての保管書類２０を載せることにより、保管書類２０が上記書類保管スペースに保管される。
【００１６】
それぞれの保管書類２０にはＲＦ−ＩＤタグ２１が付加されている。ＲＦ−ＩＤタグ２１は、ＲＦ−ＩＤシステムの一部を構成するもので、図４ないし図６について説明したように、平面状に巻回された空芯コイルと、この空芯コイルの平面と平行となるように空芯コイルに挿入された板状の鉄心とを有し、さらに、各種回路素子などが平面的に形成されている。図示の例では、ＲＦ−ＩＤタグ２１が保管書類２０の表紙に、かつ、保管書類２０を棚板１３の上に立てて載せたとき、ＲＦ−ＩＤタグ２１が書類保管スペースの奥側に位置するように付加されている。ＲＦ−ＩＤタグ２１は保管書類２０の表紙の外側面に貼り付けてもよいし、表紙の内側に貼り付けてもよく、その他適宜の位置に貼り付けまたは埋め込んでもよい。また、ＲＦ−ＩＤタグ２１の前記磁芯５１の長手方向が前後方向になるように貼り付けられている。
【００１７】
書庫１０の各書類保管スペースの背後には背板１４が配置されている。背板１４はその両側が側板１６によって支持されている。背板１４にはアンテナパターン１５が形成されていて、背板１４自体がアンテナモジュールを構成している。このアンテナモジュールを構成する背板１４は底板１１および棚板１３とは別体として形成されており、また必要に応じ書庫１０に対して着脱自在な構成になっている。アンテナパターン１５は背板１４の表面に形成してもよいし、背板１４内に埋め込んでもよい。書類保管スペースに保管された保管書類２０のＲＦ−ＩＤタグ２１とアンテナパターン１５は非接触で電磁的に結合して情報信号の送受信を行うことができる。
【００１８】
図４ないし図６に示すＲＦ−ＩＤタグについて説明したとおり、空芯アンテナと、この空芯アンテナに挿入された磁芯とを有し、これら空芯アンテナと磁芯とが平行に配置されたＲＦ−ＩＤタグは、自身の長さ方向に指向性を有していて、この方向にある程度長い距離、例えば１００ｍｍ程度離れた位置にアンテナが配置されていても、ＲＦ−ＩＤタグとアンテナとの間で信号の送受信が可能である。したがって、棚に収納された書籍等の後端部とアンテナとの間にある程度の空間が生じていても、その書籍等のＲＦ−ＩＤタグとアンテナとの間で信号の送受信を行うことができる。
【００１９】
一つ一つのＲＦ−ＩＤタグ２１は固有のＩＤを持っており、受信装置側でＩＤを識別することによってそのＲＦ−ＩＤタグ２１を判別することができ、また、そのＲＦ−ＩＤタグ２１とＲＦ−ＩＤタグ２１が付加された保管書類２０に関する情報とを関連付けておくことにより、保管書類２０を識別することができる。例えば、電磁結合方式のＲＦ−ＩＤを用い、交流磁界によるコイルの相互誘導を利用し交信を行うことにより、ＲＦ−ＩＤタグ２１の存在およびそのＩＤを確認することができる。
【００２０】
書庫１０の天板１２上には制御ユニット２２が取付けられている。制御ユニット２２はパーソナル・コンピュータ２３とケーブル２４でつながれている。制御ユニット２２は上記アンテナモジュールを制御する。すなわち、制御ユニット２２は上記のようにアンテナパターン１５から交流磁界を発し、コイルの相互誘導を利用して個々のＲＦ−ＩＤタグ２１のコイルとアンテナ側のコイルとの間で交信し、個々のＲＦ−ＩＤタグ２１の存在およびそのＩＤを認識することにより、書類保管スペースに保管されている保管書類２０に関する情報を取得する。この取得された情報は、パーソナル・コンピュータ２３によって管理される。また、パーソナル・コンピュータ２３から、書類保管スペースに保管されている書類の情報を検索することもできる。
【００２１】
以上説明した実施形態によれば、背板１４とアンテナパターン１５からなるアンテナモジュールと保管書類２０に付加したＲＦ−ＩＤタグ２１とによって、非接触で個々のＲＦ−ＩＤタグ２１を識別し、ＲＦ−ＩＤタグ２１が付加されている保管書類２０固有の情報を保管管理し、また、必要に応じて保管書類２０を検索することもできる。そして、保管書類２０のＲＦ−ＩＤタグ２１との情報信号の送受信を行うアンテナパターン１５が、書類保管スペースの背後に配置されているため、保管書類２０を出し入れするときの衝撃や摩擦などによって上記アンテナパターン１５が破損することを防止することができる。ちなみに、ＲＦ−ＩＤタグ２１とアンテナパターン１５が密着している状態、すなわち相互の距離が０ｍｍであっても、上記ＲＦ−ＩＤタグ２１とアンテナパターン１５の相互の距離が１００ｍｍ程度であっても、ＲＦ−ＩＤタグ２１を認識することができる。
【００２２】
上記のように、ＲＦ−ＩＤタグ２１とアンテナパターン１５とが非接触であっても情報信号の送受信を行うことができる。また、図４ないし図６に示すようなＲＦ−ＩＤタグを使用することによって、ＲＦ−ＩＤタグ２１とアンテナパターン１５との間に大きな間隙が生じていても、情報信号の送受信を行うことができる。そのため、図１に示すように、個々の保管書類２０ごとに大きさが異なっていて、各保管書類２０の前面を底板１１または棚板１３の前面に揃えることによって一つ一つのＲＦ−ＩＤタグ２１とアンテナパターン１５との距離が異なっていても、情報信号の送受信を行うことができる。また、アンテナパターン１５は背板１４に形成したため、アンテナを保管書類２０の背当たりとして利用することもできる。
【００２３】
書庫１０に対してアンテナパターン１５付きの背板１４を着脱自在に構成しているため、ＲＦ−ＩＤを用いた書類保管装置を具備していない保管庫であっても、これに上記背板１４を装着するだけで、ＲＦ−ＩＤ対応の書類保管装置に仕様変更することができる。逆に、ＲＦ−ＩＤ対応の書類保管装置であっても、上記背板１４を取り外すことにより、ＲＦ−ＩＤに対応しない保管庫に仕様変更することも容易である。
【００２４】
次に、図２、図３に示す本発明の別の実施形態について説明する。この実施形態は、保管庫が書類保管スペースを背中合わせにして有する複式の保管庫の例である。なお、図１に示す実施形態の構成部分と共通の構成部分には共通の符号を付している。図２、図３において、書庫１０は前述の側板に代わる支柱１７を有している。支柱１７は書庫１０の前後方向に３本、等間隔に、かつ平行に配置されていて、奥行き方向（図３では左右方向）手前と中間の支柱１７とによって一つの棚板１３の端部が支持され、奥行き方向奥側と中間の支柱１７とによってもう一つの棚板１３の端部が支持されている。したがって、一方向から見れば、手前側と奥側にそれぞれ棚板１３を有しているが、書庫１０全体から見れば、書庫１０の前後方向両側から保管書類２０を出し入れすることができるようになっている。
【００２５】
図３に示すように、支柱１７にはその長さ方向に多数の孔１７１が一定間隔で形成されている。この孔１７１は棚受け１８を掛け止めるための孔で、棚受け１８の両端部に形成されたフック１８１が適宜の高さ位置の上記孔１７１に挿入されかつ係止されることにより、棚受け１８が書庫１０の奥行き方向に向けて配置されている。一つ一つの棚受け１８は、書庫１０の奥行き方向に並ぶ２本の支柱１７にまたがって配置されている。各棚受け１８は下端縁部に係止片１８２が折り曲げによって形成されていて、この係止片１８２に棚板１３の一端部が掛け止められ、同様にして棚板１３の他端部が他方の棚受け１８の係止片１８２に掛け止められることによって、棚板１３が左右の支柱１７間に支持されている。
【００２６】
上記のようにして背中合わせにされた各書類保管スペースの背後には背板１４が垂直な姿勢で互いに平行に取付けられている。背板１４は、前述の実施形態と同様にアンテナパターンが形成されていてアンテナモジュールを構成している。上記各背板１４は、各棚板１３の奥端面の後ろ側に位置していて、各背板１４間には空間が存在している。この空間、したがって背中合わせの書類保管スペース間には、遮蔽部材１９が垂直な姿勢で取付けられている。遮蔽部材１９は、背中合わせの書類保管スペース相互のアンテナからの信号を遮蔽するためのもので、金属などの導電性材料からなる。遮蔽部材１９は上記の遮蔽機能を効果的に発揮するために、背板１４の高さと同等の高さか、これよりも若干高くなっている。
【００２７】
前記棚受け１８は金属板からなり、書類の出し入れ面側から見た棚板１３の左右両端部における遮蔽板を兼ねている。すなわち、書類の出し入れ面側から見て左右方向に並ぶ書類保管スペースのアンテナにおいて送受信される信号が相互に干渉することを防止するために、左右の書類保管スペース相互のアンテナからの信号を上記棚受け１８が遮蔽するように構成されている。この遮蔽機能を効果的に発揮するために、棚受け１８は棚板１３の高さ寸法よりも充分に高く、背板１４と略同等の高さになっている。
【００２８】
棚板１３を支持するために、棚受け１８を用いない構造もある。その場合は、棚受け１８による遮蔽効果と同様の遮蔽効果を有する遮蔽板を付加する。あるいは、個々の書類保管スペースの左右方向を画する仕切り板を設け、この仕切り板にアンテナからの信号を遮蔽させる機能を持たせてもよい。ちなみに、ＲＦ−ＩＤタグ２１を付加した書類２０を、鉄などの磁性金属からなる棚受けに接触ないしは近接させて収納すると、空芯コイルを通る磁束が上記棚受けに吸収されてしまい、棚板の左右方向すなわち長手方向両端部にあるＲＦ−ＩＤタグとの間で情報信号を送受信することはできないのではないかという懸念がある。しかし、上記本発明の実施形態のように、空芯コイルと磁芯とを組み合わせて、指向性を強くしたＲＦ−ＩＤタグを使用することによって、棚板の左右方向両端から３０ｍｍ以内にある、したがって金属製の棚受けに接触しているＲＦ−ＩＤタグであっても、アンテナとの間で情報信号を送受信することができる。
【００２９】
図２に示すように、書庫１０にはパーソナル・コンピュータ２３が接続されている。パーソナル・コンピュータ２３は背板１４、アンテナパターン１５からなるアンテナモジュールに接続され、あるいは、図１の実施形態における制御ユニット２２と同様の制御ユニットが介在していてもよい。
【００３０】
以上説明した図２、図３に示す実施形態によれば、書類収納能力の高い複式の保管庫において、背中合わせの書類保管スペース相互のアンテナからの信号を遮蔽する遮蔽部材１９を配置したため、複式の保管庫であっても、背中合わせのアンテナによって送受信される信号の干渉を防止し、信頼性の高い書類管理、書類検索などを行うことができる。
【００３１】
また、書類の出し入れ面側から見た棚板１３の左右両端部に、金属板からなる遮蔽板を兼ねた棚受け１８が配置されているため、左右に位置するアンテナによって送受信される信号の干渉を防止し、信頼性の高い書類管理、書類検索などを行うことができる。さらに、上記遮蔽板を兼ねた棚受け１８にＲＦ−ＩＤタグ２１が接触していても、ＲＦ−ＩＤタグ２１は、平面状に巻回された空芯コイルと、この空芯コイルの平面と平行となるように空芯コイルに挿入された板状の鉄心とを有してなるものであって、指向性が強いものであるため、前述のようにアンテナとの間で情報信号を送受信することができる。
書類保管スペースの背後に配置されるアンテナは、棚板とは別体としたため、アンテナを棚板と一体に形成するものに比べて安価になり、アンテナを配置するか否かで、ＲＦ−ＩＤを用いた書類管理装置を構成するか否かも任意にかつ容易に選択することができ、いずれにせよローコストである。
【００３２】
なお、本発明のように、書類保管スペースの背後に、保管書類の上記ＲＦ−ＩＤタグとの情報信号の送受信を行うアンテナを有しているものにあっては、書類の出し入れ時に、アンテナが衝撃や摩擦を受けることはないから、ＲＦ−ＩＤタグとアンテナとの送受信方式は接触方式として差支えない。
【００３３】
【発明の効果】
請求項１記載の発明によれば、保管書類のＲＦ−ＩＤタグとの情報信号の送受信を行うアンテナが、書類保管スペースの背後に配置されているため、保管書類を出し入れするときの衝撃や摩擦などによって上記アンテナが破損することを防止することができる。
書類保管スペースの背後に配置されるアンテナは、棚板とは別体としたため、アンテナを棚板と一体に形成するものに比べて安価になり、アンテナを配置するか否かで、ＲＦ−ＩＤを用いた書類管理装置を構成するか否かも任意にかつ容易に選択することができ、いずれにせよローコストである。
アンテナは、着脱自在としたため、既存の保管庫にアンテナを設置することによって、ＲＦ−ＩＤを用いた書類管理装置に仕様変更することも容易であり、ＲＦ−ＩＤを用いた書類管理装置を既存の保管庫に仕様変更することも容易である。
【００３４】
請求項２記載の発明によれば、請求項１記載の発明において、保管庫は、書類保管スペースの奥行き方向手前と奥と中間にそれぞれ支柱が等間隔にかつ平行に配置されていて、奥行き方向手前と中間の支柱に掛け止められた棚受けによって一つの棚板が支持され、奥行き方向奥側と中間の支柱に掛け止められた棚受けによってもう一つの棚板が支持されることにより、保管スペースを背中合わせにして有する複式の保管庫としたため、書類保管能力を高めた複式の保管庫において、保管書類を出し入れするときの衝撃や摩擦などによってアンテナが破損することを防止することができる。
【００３５】
請求項３記載の発明によれば、請求項２記載の発明において、背中合わせになっている各保管スペースの背後には、背板が垂直の姿勢で互いに平行に取り付けられ、各背板はアンテナパターンが形成されることによってアンテナモジュールを構成しているため、請求項２記載の発明と同等の効果を得ることができる。
【００３６】
請求項４記載の発明によれば、請求項３記載の発明において、背中合わせになっている各保管スペース相互間には、背中合わせの書類保管スペース相互のアンテナからの信号を遮蔽する遮蔽部材が垂直の姿勢で配置されているため、複式の保管庫において、背中合わせの書類保管スペース相互のアンテナから送受信される信号の干渉がなく、信頼性の高い書類管理、書類検索などを行うことができる。
【００３７】
請求項５記載の発明によれば、請求項４記載の発明において遮蔽部材の高さは、背板の高さと同等以上の高さとしたため、保管庫が有する既存の部材を利用して、左右両側のアンテナから送受信される信号の干渉を効果的になくすことができる。
【図面の簡単な説明】
【図１】本発明にかかるＲＦ−ＩＤを用いた書類管理装置の一実施形態を示す斜視図である。
【図２】本発明にかかるＲＦ−ＩＤを用いた書類管理装置の別の実施形態をの一部示す斜視図である。
【図３】上記の別の実施形態を示す一部断面側面図である。
【図４】本発明に適用可能なＲＦ−ＩＤタグの例を示す平面図である。
【図５】上記ＲＦ−ＩＤタグの一部断面正面図である。
【図６】本発明に適用可能なＲＦ−ＩＤタグの別の例を示す一部断面正面図である。
【符号の説明】
１０  保管庫としての書庫
１３  棚板
１４  背板
１５  アンテナパターン
１８  遮蔽板を兼ねる棚受け
１９  遮蔽部材
２０  保管書類
２１  ＲＦ−ＩＤタグ
５０  空芯コイル
５１  磁芯
【図１】
0004093771.tif 000002
【図２】
0004093771.tif 000003
【図３】
0004093771.tif 000004
【図４】
0004093771.tif 000005
【図５】
0004093771.tif 000006
【図６】
0004093771.tif 000007